(57)【特許請求の範囲】
【請求項１】
空気調和機を構成する室内ユニットに装備されてドレン水を排水する排水ポンプであって、
回転羽根を収容するポンプ本体と、該ポンプ本体に対してその開口部を覆うように固着され、モータ収容室を有する受け部材と、前記モータ収容室内に装備されるモータと、前記受け部材の上部を覆うカバーとを備え、
前記モータが防水性及び遮音性を有する弾性材で被覆されるとともに、前記モータの周囲に遮音用の間隙が形成され、
前記受け部材及び／又はカバーは、前記弾性材を介して前記モータを支持する複数の突起を備えることを特徴とする排水ポンプ。
【請求項２】
前記間隙は、前記モータの外面と前記受け部材の内面との間、及び前記モータの外面と前記カバーの内面との間の距離がそれぞれ１ｍｍ以上となるように形成されることを特徴とする請求項１記載の排水ポンプ。
【請求項３】
前記複数の突起は、１ｍｍ以上の突出寸法を有することを特徴とする請求項１記載の排水ポンプ。
【請求項４】
前記弾性材は、吸音層と遮音層の２層構造を備えることを特徴とする請求項１記載の排水ポンプ。
【請求項５】
前記モータ収容室は、前記モータの軸受が嵌合する筒状の軸受支持部を備えることを特徴とする請求項１記載の排水ポンプ。
【発明の詳細な説明】
【技術分野】
【０００１】
本発明は、空気調和機の室内ユニットに装備されてドレン水を排出する排水ポンプに関する。
【背景技術】
【０００２】
例えば下記の特許文献１には、この種の排水ポンプの具体的な構造が開示されている。特許文献１の図３に示すように、この排水ポンプ１００は、合成樹脂製のポンプ本体１１０を有し、ポンプ本体１１０は、２個の取付部１１２を備える。モータ１５０を収容するモータ収容室１４２を有する受け部材１４０は２個の係止部１４１を備え、ポンプ本体１１０の取付部１１２に対してスナップフィット作用により取り付けられる。モータ収容室１４２の上部はカバー１６０で覆われる。
【先行技術文献】
【特許文献】
【０００３】
【特許文献１】特開２００６−２５８０６８号公報
【発明の概要】
【発明が解決しようとする課題】
【０００４】
この種の排水ポンプにあっては、円筒形状の合成樹脂製のモータ収容室内に円筒形状のケーシングを有するモータを直接支持する構成となっている。
そのために、モータの振動と騒音が直接にモータ収容室に伝播し、これによって生じる排水ポンプの振動が室内ユニットにも伝搬するので、騒音や締結部材の緩み等の不具合が生じるという問題がある。
また、モータ収容室内のモータに水が飛散するため、モータに防水構造を施す必要があった。
そこで、本発明の目的は、モータによる振動・騒音を低減するとともに、モータの防水性を向上する排水ポンプを提供するものである。
【課題を解決するための手段】
【０００５】
上記目的を達成するために、本発明の排水ポンプは、回転羽根を収容するポンプ本体と、該ポンプ本体に対してその開口部を覆うように固着され、モータ収容室を有する受け部材と、前記モータ収容室内に装備されるモータと、前記受け部材の上部を覆うカバーとを備え、前記モータが防水性及び遮音性を有する弾性材で被覆されるとともに、前記モータの周囲に遮音用の間隙が形成され、前記受け部材及び／又はカバーは、前記弾性材を介して前記モータを支持する複数の突起を備えるものである。
【０００６】
なお、前記間隙は、例えば、前記モータの外面と前記受け部材の内面との間、及び前記モータの外面と前記カバーの内面との間の距離がそれぞれ１ｍｍ以上となるように形成することができる。
【０００７】
また、前記複数の突起は１ｍｍ以上の突出寸法を有することが好ましい。
【０００８】
また、前記弾性材としては、例えばゴム材を使用することができる。そして、前記弾性材は吸音層と遮音層の２層構造を備えるものであることが好ましい。
【０００９】
さらに、前記モータ収容室は、前記モータの軸受が嵌合する筒状の軸受支持部を備えることが好ましい。
【発明の効果】
【００１０】
以上の手段を備えることにより、本発明の排水ポンプは、モータによる振動・騒音を低減するとともに、モータの防水性を向上することができる。
【図面の簡単な説明】
【００１１】
【図１】本発明の排水ポンプの平面図と正面図。
【図２】図１のＡ−Ａ断面図。
【図３】図１のＢ−Ｂ断面図。
【図４】図３のＤ部の詳細図。
【図５】本発明の排水ポンプの他の例を示す平面断面図。
【発明を実施するための形態】
【００１２】
図１の（ａ）は本発明の排水ポンプの平面図、（ｂ）は正面図、図２は図１のＡ−Ａ断面図、図３は図１のＢ−Ｂ断面図である。
この排水ポンプ１は、合成樹脂製のポンプ本体１０を有し、ポンプ本体１０には吸込口１２、ポンプ室１４、吐出口１６が形成されている。
ポンプ本体１０の上部は開放されており、２個の取付部２０が上方に突出する形で一体に成形されている。
【００１３】
ポンプ室１４内には回転羽根３０が収容される。回転羽根３０は取付軸３２と小径羽根３６及び図示しない大径羽根を有する。ポンプ本体１０の上部には合成樹脂製の受け部材５０が固着される。受け部材５０はポンプ本体１０の取付部２０に係合する係合部５４を有し、スナップフィット作用によりポンプ本体１０に簡単に取り付けることができる。ボス部５６は受け部材５０の取付作業に利用される。
【００１４】
受け部材５０はポンプ本体１０の開口部を覆う蓋部５２を有し、ポンプ本体１０と蓋部５２の間にはＯリング４０が嵌装されてシールされている。受け部材５０の上部には円筒状のモータ受け部６０が一体に設けられる。モータ受け部６０の内部はモータ収容室６２として機能する。
【００１５】
モータ収容室６２の底部６６の中央部には、モータ７０の下軸受７６（後述）が嵌合する軸受支持部６４が設けられる。このようにすることで、モータ７０とモータ収容室６２との同軸性が向上し、モータ７０の周囲に形成される間隙の大きさを均一にすることができる。
モータ収容室６２内にはモータ７０が収容される。モータ７０はリード線７２により給電される。モータ７０の図示しないロータの回転軸は、上軸受７４と下軸受７６により回転自在に支持される。
【００１６】
モータ受け部６０の上部には合成樹脂製のカバー８０が取り付けられる。このカバー８０によりモータ受け部６０のモータ収容室６２への水の浸入が防止される。カバー８０は上面に３本の取付脚８２を有し、取付脚８２の貫通穴８３を利用して室内ユニットにビス等で固着される。
【００１７】
カバー８０のカバー内面８１の中央部には上軸受押え部８４が設けられる。カバー８０は取付穴８６を有し、モータ受け部６０の外側に設けた凸部６８にスナップフィットすることでカバー８０は受け部材５０に固定される。
【００１８】
モータ７０の上軸受７４はカバー８０の上軸受押え部８４により押圧され、モータ７０の下軸受７６はモータ受け部６０の軸受支持部６４に嵌合され、これによってモータ７０が固定される。
モータ７０の出力軸７８は、水切板４２を貫通して回転羽根３０の取付軸３２に圧入される。
【００１９】
本発明の排水ポンプ１にあっては、モータ７０の外面に防水性及び遮音性を有する弾性材１００が被覆される。弾性材１００はゴム材等が用いられ、下軸受７６の外側を除いてモータ７０の外側全体を被覆している。なお、出力軸７８に接触しない範囲で下軸受７６を弾性材１００で覆うこともできる。
弾性材１００はゴム材等の１層構造でもよいが、図４に示すようにゴム材等の弾性体よりなる吸音層１０２と遮音層１０４の２層構造とすることもできる。この場合、防水性及び遮音性が向上するので好ましい。モータ７０の外面に弾性材１００を被覆することでモータ７０の振動や騒音が受け部材５０やカバー８０に伝播するのを防止できる。
【００２０】
また、本発明の排水ポンプ１にあっては、モータ７０の上面とカバー８０の内面８１との間に間隙が設けられて、遮音空間Ｇ１が形成される。この遮音空間Ｇ１はモータ７０の振動や騒音が直接にカバー８０側に伝播するのを防止する機能を有する。間隙を形成する距離Ｌ１の大きさは１ｍｍ以上の寸法に設定するのが好ましい。
【００２１】
また、モータ７０の底面とモータ収容室６２の底部６６との間に間隙が設けられて、遮音空間Ｇ２が形成される。この遮音空間Ｇ２はモータ７０の振動・騒音が直接にモータ受け部６０のモータ収容室６２の底部６６側に伝播するのを防止する。間隙を形成する距離Ｌ２は１ｍｍ以上の寸法に設定するのが好ましい。
【００２２】
さらにモータ７０の外周部とモータ受け部６０のモータ収容室６２との間にも間隙が設けられて遮音空間Ｇ３が形成される。この遮音空間Ｇ３はモータ７０の振動・騒音が直接にモータ収容室６２の側壁側に伝播されるのを防止する。この間隙を形成する距離Ｌ３も１ｍｍ以上の寸法に設定するのが好ましい。
【００２３】
本発明の排水ポンプ１は、以上のように構成したことで、モータ７０の振動・騒音が受け部材５０やカバー８０側へ伝播するのを防止することができ、これによって排水ポンプ１の振動・騒音を防止することができるので、排水ポンプ１が取り付けられる室内ユニットに振動が伝搬して騒音や締結部材の緩み等の不具合が生じるのを防ぐことができる。
【００２４】
図５は本発明の他の実施例を示す。本実施例にあっては、モータ７０の外面を覆う弾性材１００の外側をモータ受け部６０の内面から内方に突出する複数の突起６５で支持する構造を採用している。
【００２５】
この突起６５の突出寸法Ｈ１は１ｍｍ以上に設定するのが好ましい。これにより、モータ７０の外面とモータ受け部６０の内面との間の距離を確実に１ｍｍ以上にすることができる。なお、カバー８０の内面にも同様の突起を設けるようにしてもよい。
【符号の説明】
【００２６】
１  排水ポンプ
１０  ポンプ本体
１２  吸込口
１４  ポンプ室
１６  吐出口
２０  取付部
３０  回転羽根
３２  取付軸
３６  小径羽根
４０  Ｏリング
４２  水切板
５０  受け部材
５２  蓋部
５４  係合部
５６  ボス部
６０  モータ受け部
６２  モータ収容室
６４  軸受支持部
６５  突起
６６  モータ収容室の底部
６８  取付穴
７０  モータ
７２  リード線
７４  上軸受
７６  下軸受
７８  出力軸
８０  カバー
８１  カバーの内面
８２  取付脚
８３  ボルト穴
８４  上軸受押え部
８６  凸部
１００  弾性材
１０２  吸音層
１０４  遮音層
Ｌ１，Ｌ２，Ｌ３  間隙を形成する距離
Ｇ１，Ｇ２，Ｇ３  遮音空間
Ｈ１  高さ寸法
【図１】
0005953081.tif 000002
【図２】
0005953081.tif 000003
【図３】
0005953081.tif 000004
【図４】
0005953081.tif 000005
【図５】
0005953081.tif 000006